(57)【要約】 【課題】  北欧に古くから伝わるサウナ小屋の形式を活かすことにより、自宅の庭等にも簡単に構築することができ、合わせて、サウナ浴と入浴（シャワー浴）を楽しみながら休憩、運動、勉強、或いは、各種の趣味等を、トータル的に、且つ、他人や近隣の目線を気にすることなく快適に楽しむことができるように工夫した、高床式のガーデンサウナハウスを提供する。 【解決手段】  一般家庭の庭等に独立して構築可能な一戸建て構造のハウス体１の内部に、仕切壁５，６，７によって仕切られた防音個室２と、浴室３と、サウナ室４を設け、このハウス体１の全体を複数本の支脚１０…によって高床式に支持し、床下のスペース１１を各種物品類の物置や物入れ、或いは、パーキングやガーデニング等に多目的に利用する。 【選択図】    図１
2010101041.tif 000002
【特許請求の範囲】
【請求項１】
一般家庭の庭や屋上、或いは、各種施設の庭や空き地、プールサイド等に独立して構築可能な一戸建て構造を備えるガーデンサウナハウスであって、 
一側に玄関ドアーを備えた出入口を設け、且つ、全体を横長に形成したハウス体の内部を、夫々出入り用のドアーを備えた仕切壁によって少なくとも三つの独立した部屋に仕切り、これ等仕切られた部屋のうち、上記の玄関ドアーを開けて屋外より直接出入りすることができる一番目の部屋を、部屋全体に防音設備が施され、且つ、運動用、各種レジャー用、或いは、勉強用等として多目的に使用可能な防音個室とし、この防音個室に隣接する二番目の部屋を、シャワー設備或いは入浴設備のいずれか一方又は両方を備えた浴室とし、この浴室に隣接する三番目の部屋を、サウナ風呂の設備とサウナ浴用の座席又は椅子と照明器具とを備えたサウナ室とすると共に、 
前記ハウス体の全体を、複数本の支脚によって床下のスペースを物置やパーキング、或いは、ガーデニング等に利用可能な高床式に構成し、前記一番目の部屋のエントランス部分には、地上からの昇り降りを可能にした階段又はハシゴが設けられていることを特徴とするガーデンサウナハウス。 
【請求項２】
ハウス体の外観が、コテージ風、又は、ログハウス風の独立した高床式の家屋構造に造られていることを特徴とする請求項１に記載のガーデンサウナハウス。 
【発明の詳細な説明】
【技術分野】
【０００１】
本発明は、自宅の庭や各種施設の空き地、或いは、プールサイド等に簡単に設置して利用することができるガーデンサウナハウスに関する。 
【背景技術】
【０００２】
疲労を回復して新陳代謝を活発化し、美容と健康に優れた効果を発揮することができるサウナ浴は、益々愛好者が増加して、一般住宅、諸施設等への設置が進んでいるが、従来の一般的なサウナ風呂（ホームサウナ）は、例えば特許文献１に見られるように、全体が個室タイプに造られていて、この個室タイプのサウナ室の内部にサウナストーブと座席を設置してサウナ浴を行うように構成されているため、機能性及び娯楽性に欠ける問題があった。 
【０００３】
そこで本出願人は、特許文献２に見られるように、北欧に古くから伝わるサウナ小屋の形式を活かすことにより、自宅や各種施設等の庭や空き地にも簡単に構築することができ、合わせて、サウナ浴と入浴（シャワー浴）を楽しみながら休憩、運動、勉強、或いは、各種の趣味等を、トータル的に楽しむことができるように工夫したホームサウナハウスを開発した。 
【特許文献１】実開平６−２３３８０３号公報
【特許文献２】特開２００６−２６５８６２号公報
【発明の開示】
【発明が解決しようとする課題】
【０００４】
ところが、敷地が狭い一般住宅や諸施設、或いは、プールサイド等に、上記特許文献２に記載のホームサウナハウスを設置すると、その分、庭や敷地等の有効スペースを狭くしてしまうことから、周辺部の居住性に悪影響を及ぼしたり、各種施設やプール等の運営や機能性に悪影響を及ぼす問題があり、また、上記のホームサウナハウスは、サウナ浴に加えて入浴（シャワー入浴）も可能にすることから、その利用時には可成り多くの湿気が発生して、この大量の湿気がサウナハウスや周囲の施設等に対して腐食等の悪影響を及ぼす問題もあった。 
【０００５】
更に上記のホームサウナハウスは、サウナ浴に加えて入浴も可能にすることから、これを一般住宅や諸施設等の庭或いはスペース（空地）等に設置した場合には、周囲の目線から入浴者を守る必要から、目隠し等の遮蔽手段を別途講じる必要があって、設置費用に影響を及ぼす問題もあった。 
【０００６】
本発明は上述した諸問題を解消するために開発されたものであって、その技術的課題は、敷地や庭が狭い一般住宅や諸施設等に設置しても、その床下を物置やパーキング、或いは、ガーデニング等に有効利用できると共に、入浴時に発生する大量の湿気にも充分に対処できる耐久性を備え、且つ、他人や近隣の目線を気にせずに、比較的自由にサウナ入浴等を楽しむことを可能にしたガーデンサウナハウスを提供することである。 
【課題を解決するための手段】
【０００７】
（１）  上記の技術的課題を解決するために、本発明の請求項１に係るガーデンサウナハウスは、一般家庭の庭や屋上、或いは、各種施設の庭や空き地、プールサイド等に独立して構築可能な一戸建て構造を備えるガーデンサウナハウスであって、一側に玄関ドアーを備えた出入口を設け、且つ、全体を横長に形成したハウス体の内部を、夫々出入り用のドアーを備えた仕切壁によって少なくとも三つの独立した部屋に仕切り、これ等仕切られた部屋のうち、上記の玄関ドアーを開けて屋外より直接出入りすることができる一番目の部屋を、部屋全体に防音設備が施され、且つ、運動用、各種レジャー用、或いは、勉強用等として多目的に使用可能な防音個室とし、この防音個室に隣接する二番目の部屋を、シャワー設備或いは入浴設備のいずれか一方又は両方を備えた浴室とし、この浴室に隣接する三番目の部屋を、サウナ風呂の設備とサウナ浴用の座席又は椅子と照明器具とを備えたサウナ室とすると共に、前記ハウス体の全体を、複数本の支脚によって床下のスペースを物置やパーキング、或いは、ガーデニング等に利用可能な高床式に構成し、前記一番目の部屋のエントランス部分には、地上からの昇り降りを可能にした階段又はハシゴが設けられていることを特徴としている。 
【０００８】
（２）  また、本発明の請求項２に係るガーデンサウナハウスは、ハウス体の外観が、コテージ風、又は、ログハウス風の独立した高床式の家屋構造に造られていることを特徴としている。 
【０００９】
上記（１）、（２）で述べた手段によれば、自宅の庭の狭いスペースや各種施設の庭や空き地等のスペースを利用して、外観がコテージ風、或いは、ログハウス風に形成されたガーデンサウナハウスを設置することができる。また、このガーデンサウナハウスには、適当な照明の下で座席や椅子に座りながらサウナ浴を楽しむことができるサウナ室に加えて、入浴設備又はシャワー設備を備えた浴室と、多目的な利用を可能にする防音個室が、夫々ドアー付きの仕切壁を隔てて隣接して設けられているため、ガーデンサウナハウスの中で、サウナ浴と入浴、及び、休憩、運動、各種の趣味等を、他人に煩わされることなくトータル的に楽しむことを可能にする。 
【００１０】
更に上記の手段によれば、ハウス体の構造が、防音個室が一番入口側で、その次が浴室、最後がサウナ室の配列になっているため、家族や複数の友人同士で、入浴やシャワー浴を含むサウナ浴と、防音個室での多目的な利用とを、同時に楽しむことも可能とするものであって、サウナ効果をより一層高めることができる。 
【００１１】
加えて上記の手段によれば、ハウス体の全体が複数本の支脚によって高床式に構成されているため、床下のスペースを各種の物置や物入れ、或いは、パーキングや各種物品の載置場所、更には、ガーデニングといった多目的な利用を可能にすると共に、高温多湿下でのサウナ入浴及び風呂入浴も、高床式による通気性と、湿度の拡散作用によって快適な入浴と、ハウスの長寿命化を可能と成し、また、他人や近隣の目線も気にすることなく、安全に心おきなくサウナ入浴することを可能にする。 
【発明の効果】
【００１２】
以上述べた次第で、本発明に係るガーデンサウナハウスによれば、サウナ浴、シャワー浴及び入浴、休憩、運動や勉強並びに各種の趣味等を、効果的に行うことにより、健康と美容の増進を図ってサウナ浴の醍醐味を存分に味わうことができるものであるが、本発明では特に、照明器具及び座席又は椅子を備えたサウナ室と、浴室及び多目的に利用可能な防音個室とを備えたハウス体が、独立した一戸建て構造で、而も、高床式に構成されているため、屋内にわざわざホームサウナを設置するサウナスペースを設ける必要が全く無く、自宅の庭や屋上等にそのまま設置して、比較的短時間のうちに、簡単に且つ低コストにて一般家庭にコテージ風、又は、ログハウス風のガーデンサウナハウスを構築することができる利点を発揮することができる。 
【００１３】
また、本発明のガーデンサウナハウスは、これをホテルとか各種スポーツ施設、或いは、各種の職場や現場、各種の娯楽場、公共施設、又は、町場の各種施設等に附設することによって、サービス用或いは業務用として使用することも可能であって、全体を組立て及び分解自在で移築可能なプレハブ構造に構成することにより、更にその利便性と機能性を高めることができる。 
【００１４】
更に本発明のガーデンサウナハウスは、サウナ室の全体が複数本の支脚によって支持された高床式に構成されているため、狭い自宅の庭等に設置したとしても、その設置場所がそのままデッドスペースになることがなく、例えば、床下を各種物品類の物置や物入れ、或いは、パーキングやガーデニングと言った多目的に有効利用できる利点を有するものであって、隣近所の目線を気にすること無く安心して入浴できる点、並びに、湿気の拡散によって快適な入浴と、ハウスの長寿命化を可能にする点と相俟って、ガーデン式のサウナハウスとしてまことに画期的なものである。 
【発明を実施するための最良の形態】
【００１５】
以下に上述した本発明に係るガーデンサウナハウスの好適な実施の形態を図面と共に説明すると、図１は本発明に係るガーデンサウナハウスの外観構造の一例を示した斜視図であって、符号１で全体的に示したハウス体のサイズは、例えば図４に示した標準間取りの寸法に造られていて、床面積は９．９６ｍ２（３坪弱）に成っているが、これ等のサイズはいずれも実施の一例であることは勿論である。 
【００１６】
ハウス体１の外観は図示の場合は複数本の支脚１０…によって高床式のログハウス風（サウナ小屋風）に造られているが、これは実施の一例であって、一般家庭の庭や屋上等に設置しても違和感がないように、全体をコテージ風や田舎屋風、或いは、ドーム風等に造ったりすることにより、各種の注文に応じることを可能にしている。 
【００１７】
図１において、１Ｔはハウス体１の基礎を構成する底板、１Ｈはこの底板１Ｔを含むハウス体１の全体を上面に載置、固定して支持する基板、１Ｅは基板１Ｈの一端に連設したエントランスで、基板１Ｈは複数本の支脚１０…によって所定の高さに水平状に支持されていて、ハウス体１の全体が高床式に構成されている。 
【００１８】
また、１１Ｘ…は各支脚１０…の間に張設した筋交い、符号１１で全体的に示したのは、高床式の床下に構成されたスペースで、図示の場合は、このスペース１１を自動車ＣＲ用のパーキングエリアとして利用しているが、これは実施の一例であって、たかゆかしきの高さ寸法を任意に設定（調整）することにより、このスペース１１を例えばガーデニングのスペースとしたり、各種物品類の載置スペースや物置、或いは、、椅子やテーブルを配置したレストスペース等、多目的に利用することが可能であって、その選択は任意とする。 
【００１９】
また、図１において１２は前述したエントランス１Ｅと地上との間を結ぶ階段で、１２Ａはその手摺りを示し、５Ｄはエントランス１Ｅに面したハウス体１のドアー（後述する）を示す。尚、上記の階段１２に代えてハシゴ（梯子）を設けてもよく、ハウス体１の設置場所や設置目的によって、各種のものが選ばれて使用されることは勿論である。 
【００２０】
図２は、上記ハウス体１の内部構造の実施例を示したものであって、図２において、符号２、３、４で夫々全体的に示したのは、夫々出入り用の開閉ドアー５Ｄ，６Ｄ，７Ｄを備えた仕切壁５，６，７によって仕切られた、防音個室と、浴室と、サウナ室である。 
【００２１】
上記の階段１２を昇って、エントランス１Ｅから入口のドアー５Ｄ（１番目の玄関ドアー）を開いて入る１番目の部屋は、周囲の壁や前後のドアー５Ｄ，６Ｄに防音材を介在した防音個室２に成っていて、図２の実施例ではこれを音楽を楽しむ音楽室２Ｔとして利用しているが、この防音個室２を例えば図３（Ａ）に示すように各種のスポーツを楽しむスポーツ室２Ａとしたり、同図（Ｂ）に示すように各種趣味を楽しむ趣味室２Ｂや休憩室としたり、或いは、同図（Ｃ）に示すように勉強室２Ｃとして利用することができるように、内装を自由に変更することができる仕組みに成っていて、多目的な利用を可能にしている。 
【００２２】
仕切壁６によって隔てられた上記防音個室２に隣接する中間の２番目の部屋は、浴槽や給湯器等の入浴設備とシャワー設備を備えた浴室３であって、通常は後述するサウナ浴と組合せてトータル的に入浴する場合に用いるが、勿論スポーツ後の入浴等に自由に利用することも可能であって、全体として防水構造が施されている。 
【００２３】
また、仕切壁７によって隔てられた上記の浴室３に隣接する一番奥の３番目の部屋は、内部又は外部にサウナストーブ（図示省略）を備え、且つ、内壁を桧の板張り８にすると共に、桧の座席４Ｚ又は椅子と照明器具４Ｒとを備えた総桧造りのサウナ室４で、全体は一般的なホームサウナと同様の構成（例えば前記特許文献１に記載のサウナ風呂と同様の構成）に造られていて、誰にでも適当な照明の下で座席４Ｚ又は椅子に座りながらサウナ浴を楽しむことができるように構成されている。 
【００２４】
サウナ室４のスペースは、通常のホームサウナに比べてひとまわり広く造られており、また、必要に応じて各部屋２、３、４には窓を設けることによって、高床式に構成された一段高い各部屋２、３、４の中から、他人や近隣の目線を気にすることなく、庭や屋外の自然を眺めながら各種の趣味やスポーツ等に親しんだり、サウナ浴や入浴或いはシャワー浴を楽しむことができるものであって、これ等部屋や諸設備をトータル的に利用することにより、サウナ入浴をより効果的に、また、システム的に行うことができると共に、上記高床式に構成したことによる除湿効果により、サウナ入浴を頗る快適に楽しむことを可能にする。 
【００２５】
更に、ハウス体１の全体を例えば組立て自在及び分解自在で、移築可能なプレハブ構造に造ることにより、一般家庭の庭や各種施設、会社、現場等の空きスペースを利用して極めて簡単に、且つ、比較的低コストにて耐久性に優れたガーデンサウナハウスを設置して利用できる利点を発揮することができる。 
【図面の簡単な説明】
【００２６】
【図１】本発明に係るガーデンサウナハウスの外観の一実施例を説明した斜視図。
【図２】本発明に係るガーデンサウナハウスの内部の構成例を説明した斜視図。
【図３】（Ａ），（Ｂ），（Ｃ）は多目的に利用可能な防音個室の使用例を説明した斜視図。
【図４】ハウス体の標準的な間取りを説明した説明図。
【符号の説明】
【００２７】
１，１Ｘ，１Ｙ            ハウス体 
１Ｅ                      エントランス 
１Ｈ                      基板 
２                        防音個室 
３                        浴室 
４                        サウナ室 
４Ｚ                      座席 
４Ｒ                      照明器具 
５，６，７                仕切壁 
５Ｄ，６Ｄ，７Ｄ          ドアー 
１０                      支脚 
１１                      床下スペース 
１２                      階段 
【図１】
2010101041.tif 000003
【図２】
2010101041.tif 000004
【図３】
2010101041.tif 000005
【図４】
2010101041.tif 000006